(57)【要約】【課題】人体の接触を的確に検出し、人体接触を検出した場合と検出しない場合とで、保護する温度を切り替える電子装置、温度上昇制御方法、そのプログラム及び記録媒体を提供する。【解決手段】電子装置は、装置の内部の温度しきい値を少なくとも２つ以上設定する温度しきい値設定手段と、装置の内部温度を検出する温度検出手段と、人体の接触を検出する保護接触検出手段と、温度しきい値を切り替える温度しきい値切り替え手段と、装置の内部温度と温度しきい値とを比較する比較手段と、比較手段の比較結果に基づいて動作を制御する制御手段と、を有する。保護接触検出手段によって一定時間以上の人体の接触を検出した場合に、温度しきい値を切り替える。そして、比較手段によって装置の内部温度が温度しきい値よりも高いと判断された場合には、装置内部の温度を低下させる動作制御を行う。【選択図】図１
2010124246.tif 000002
【特許請求の範囲】
【請求項１】
装置の内部の温度しきい値を少なくとも２つ以上設定する温度しきい値設定手段と、
前記装置の内部温度を検出する温度検出手段と、
人体の接触を検出する保護接触検出手段と、
前記温度しきい値を切り替える温度しきい値切り替え手段と、
前記温度検出手段により検出された装置の内部温度と前記温度しきい値設定手段により設定された温度しきい値とを比較する比較手段と、
前記比較手段の比較結果に基づいて動作を制御する制御手段と、を有し、
前記温度しきい値切り替え手段は、前記保護接触検出手段によって一定時間以上の人体の接触を検出した場合に、前記温度しきい値を切り替え、
前記制御手段は、前記比較手段によって前記装置の内部温度が前記温度しきい値よりも高いと判断された場合に、前記装置内部の温度を低下させる動作制御を行うことを特徴とする電子装置。
【請求項２】
前記温度しきい値切り替え手段は、前記保護接触検出手段によって一定時間以上の人体の接触を検出した場合に、最も設定温度が低い温度しきい値に切り替えることを特徴とする請求項１記載の電子装置。
【請求項３】
前記制御手段は、充電を停止することで前記装置内部の温度を低下させる制御を行うことを特徴とする請求項１又は２に記載の電子装置。
【請求項４】
前記温度しきい値設定手段は、少なくとも３つ以上の温度しきい値を設定することを特徴とする請求項１から３の何れか１項に記載の電子装置。
【請求項５】
装置の内部の温度しきい値を少なくとも２つ以上設定する温度しきい値設定ステップと、
前記装置の内部温度を検出する温度検出ステップと、
人体の接触を検出する保護接触検出ステップと、
前記温度しきい値を切り替える温度しきい値切り替えステップと、
前記温度検出ステップにより検出された装置の内部温度と前記温度しきい値設定ステップにより設定された温度しきい値とを比較する比較ステップと、
前記比較ステップの比較結果に基づいて動作を制御する制御ステップと、を有し、
前記温度しきい値切り替えステップは、前記保護接触検出ステップによって一定時間以上の人体の接触を検出した場合に、前記温度しきい値を切り替え、
前記制御ステップは、前記比較ステップによって前記装置の内部温度が前記温度しきい値よりも高いと判断された場合に、前記装置内部の温度を低下させる動作制御を行うことを特徴とする温度上昇制御方法。
【請求項６】
前記温度しきい値切り替えステップは、前記保護接触検出ステップによって一定時間以上の人体の接触を検出した場合に、最も設定温度が低い温度しきい値に切り替えることを特徴とする請求項５記載の温度上昇制御方法。
【請求項７】
装置の内部の温度しきい値を少なくとも２つ以上設定する処理と、
前記装置の内部温度を検出する処理と、
人体の接触を検出する処理と、
前記温度しきい値を切り替える処理と、
前記装置の内部温度と前記温度しきい値とを比較する処理と、
前記比較する処理の比較結果に基づいて動作を制御する処理と、をコンピュータに実行させ、
前記切り替える処理は、一定時間以上の人体の接触を検出した場合に、前記温度しきい値を切り替え、
前記制御する処理は、前記装置の内部温度が前記温度しきい値よりも高いと判断された場合に、前記装置内部の温度を低下させる動作制御を行うことを特徴とするプログラム。
【請求項８】
前記切り替える処理は、一定時間以上の人体の接触を検出した場合に、最も設定温度が低い温度しきい値に切り替えることを特徴とする請求項７記載のプログラム。
【請求項９】
請求項７又は８に記載のプログラムを記録したコンピュータ読取可能な記録媒体。
【発明の詳細な説明】
【技術分野】
【０００１】
本発明は、接触を検知する電子装置、温度上昇制御方法、そのプログラム及び記録媒体に関する。
【背景技術】
【０００２】
近年、携帯電話、オーディオ製品などの電子装置は多機能化が進み、内部の発熱量が増加している。同時に装置の小型化も進んでおり、電子装置内部の発熱が装置表面に伝わりやすくなり、装置使用中の装置表面温度が高くなってきている。
【０００３】
これら電子装置は、ユーザの皮膚に接触させて使用されるため、装置表面温度の上昇によりやけどを引き起こすという問題があった。この問題を解決するために、例えば、温度検出回路を設けて、ある設定しきい値を超えた場合は、電圧が低下するように制御することにより、装置温度がやけどの限界温度を超えないようする技術が開示されている（例えば、特許文献１）。
【０００４】
また、これらの電子装置は、ユーザの皮膚に長時間接触させて使用されることもある。この場合、短時間の接触でやけどを引き起こす温度に達していない場合であっても、長時間皮膚に接触することにより低温やけどを引き起こしてしまうという問題があった。
【０００５】
上記問題を解決するために、充電を停止することにより装置表面の温度の上昇を抑制する技術が開示されている。しかし、上記技術では外部接続機器の利用等により、温度上昇部分にユーザの皮膚が接触していない場合においても、電子装置は充電を停止してしまうという問題があった。発熱部分に皮膚が接触していない場合は、低温やけどの限界温度より装置温度が上がっても問題ないため、充電を停止する必要性はない。尚、上記した特許文献１の技術においても、上記した問題と同様の問題がある。
【０００６】
上記問題を解決するために、携帯電話機のレシーバ付近にタッチセンサを設置し、タッチセンサに何かが接触しているかを判断して、何かしらの接触が検出されると、携帯電話機の充電を停止する技術が開示されている（例えば、特許文献２）。
【特許文献１】特開２００６−２３００８０号公報
【特許文献２】特開２００７−１６６５００号公報
【発明の開示】
【発明が解決しようとする課題】
【０００７】
しかし、上記特許文献２の技術では、例えば、タッチセンサに短時間でも接触を検出してしまうと、装置の表面温度が比較的低い温度であっても携帯電話機の充電を停止してしまう。すなわち、低温やけどを起こす危険性のある長い時間の皮膚の接触を的確に検出することができず、短い間のみタッチセンサに接触した場合や誤ってタッチセンサに接触した場合であっても充電を停止させてしまうので、ユーザの利便性を損ねてしまうという問題があった。
【０００８】
本発明はこのような実情を鑑みてなされたものであり、人体の接触を的確に検出し、人体接触を検出した場合と検出しない場合とで、保護する温度を切り替える電子装置、温度上昇制御方法、そのプログラム及び記録媒体を提供することを目的とする。
【課題を解決するための手段】
【０００９】
本発明の電子装置は、装置の内部の温度しきい値を少なくとも２つ以上設定する温度しきい値設定手段と、装置の内部温度を検出する温度検出手段と、人体の接触を検出する保護接触検出手段と、温度しきい値を切り替える温度しきい値切り替え手段と、温度検出手段により検出された装置の内部温度と温度しきい値設定手段により設定された温度しきい値とを比較する比較手段と、比較手段の比較結果に基づいて動作を制御する制御手段と、を有し、温度しきい値切り替え手段は、保護接触検出手段によって一定時間以上の人体の接触を検出した場合に、温度しきい値を切り替え、制御手段は、比較手段によって装置の内部温度が温度しきい値よりも高いと判断された場合に、装置内部の温度を低下させる動作制御を行うことを特徴とする。
【００１０】
本発明の温度上昇制御方法は、装置の内部の温度しきい値を少なくとも２つ以上設定する温度しきい値設定ステップと、記装置の内部温度を検出する温度検出ステップと、人体の接触を検出する保護接触検出ステップと、温度しきい値を切り替える温度しきい値切り替えステップと、温度検出ステップにより検出された装置の内部温度と温度しきい値設定ステップにより設定された温度しきい値とを比較する比較ステップと、比較ステップの比較結果に基づいて動作を制御する制御ステップと、を有し、温度しきい値切り替えステップは、保護接触検出ステップによって一定時間以上の人体の接触を検出した場合に、温度しきい値を切り替え、制御ステップは、比較ステップによって装置の内部温度が温度しきい値よりも高いと判断された場合に、装置内部の温度を低下させる動作制御を行うことを特徴とする。
【００１１】
本発明のプログラムは、装置の内部の温度しきい値を少なくとも２つ以上設定する処理と、装置の内部温度を検出する処理と、人体の接触を検出する処理と、温度しきい値を切り替える処理と、装置の内部温度と温度しきい値とを比較する処理と、比較する処理の比較結果に基づいて動作を制御する処理と、をコンピュータに実行させ、切り替える処理は、一定時間以上の人体の接触を検出した場合に、温度しきい値を切り替え、制御する処理は、装置の内部温度が温度しきい値よりも高いと判断された場合に、装置内部の温度を低下させる動作制御を行うことを特徴とする。
【００１２】
本発明の記録媒体は、上記プログラムを記録したコンピュータ読取可能な記録媒体である。
【発明の効果】
【００１３】
本発明によれば、人体の接触を的確に検出し、的確に保護する温度を切り替えることで、ユーザの利便性を向上させることが可能となる。
【発明を実施するための最良の形態】
【００１４】
以下に本発明の実施形態の例について、図面を用いて詳細に説明する。
【００１５】
図１は、本実施形態に係る電子装置の概略機能例を示す。本実施形態では、電子装置として携帯電話機を適用した場合の構成を例に挙げている。
【００１６】
図１に示すように、本実施実施形態に係る携帯電話機は、無線部２、ベースバンド部３、ＣＰＵ（Central Processing Unit）１４などの携帯電話機として機能するために必要な構成に加えて、タッチパネル１５、タッチパネル用Ｉ／Ｆ部１６、保護接触検出部１７、タイマー値１  １８、タイマー値２  １９、温度センサ２０、温度しきい値１  ２５、温度しきい値２  ２２、比較器１  ２４、比較器２  ２１、ゲート回路２３、スイッチ回路２６、を備えている。
【００１７】
保護接触検出手段である保護接触検出部１７は、タッチパネル１５への接触状態が一定時間以上続いていること、及び、非接触状態が一定時間以上続いていることを検出する。接触状態を検出する時間設定はタイマー値１  １８で設定され、非接触状態を検出する時間設定はタイマー値２  １９で設定される。
【００１８】
温度検出手段である温度センサ２０は、装置の内部温度を測定する。温度しきい値１  ２５と温度しきい値２  ２２には、安全性を考慮して超えてはいけない温度が温度しきい値設定手段により設定されるが、温度しきい値１  ２５は、温度しきい値２  ２２よりも低い温度が設定され、人体の皮膚が長時間触れていた場合に、低温やけどを起きさせないための温度を設定する。温度しきい値２  ２２は、比較的短時間の接触でやけどを起こさせないための温度を設定する。装置の形状や温度センサの位置によって、皮膚が接触する部分の温度と、温度センサ２０の検出温度には差が出ることになるが、温度しきい値にはこの差分を考慮した温度を設定する。
【００１９】
比較手段である比較器１  ２４及び比較器２  ２１は、温度センサ２０の検出した温度と温度しきい値との比較を行う。比較結果は、ゲート回路２３、スイッチ回路２６で処理された後ＣＰＵ１４へ通知され、安全性の確保のための制御が行われる。例えば、装置温度が上昇して温度しきい値の設定温度より高くなった場合、制御手段であるＣＰＵ１４は充電・電源制御部２８を制御して電池２７への充電を止めて装置温度上昇を防ぐ。また、ＴＶ電話中はカメラ９をＯＦＦにさせてアバター画像を表示させて温度上昇を防ぐなどの方法もある。
【００２０】
図２は、本実施形態に係る電子装置の動作例を示す。以下、上記図１及び図２に示す図を用いて本実施形態の動作例について詳細に説明する。
【００２１】
図１は本実施形態を適用した携帯電話機のブロック図の例であり、図２はその動作タイミング例を示す図である。図２には携帯電話機の動作状態例が記載されおり、図の左側から以下のように状態が変化したときの動作を示している。
【００２２】
状態（１）は、充電しながらの待受け状態を示している（待受・充電）。状態（２）は、充電しながらＴＶ電話を行っているの状態を示している（ＴＶ電話・充電）。状態（３）は、充電しながら音声通話を行っている状態を示している（通話・充電）。状態（４）は、充電しながらの待受け状態を示している（待受・充電）。状態（５）は、充電しながらＴＶ電話を行っている状態を示している（ＴＶ電話・充電）。状態（６）は、充電しながらＴＶ電話中に、デジタルＴＶ録画が開始された状態を示している（ＴＶ電話・充電・録画）。状態（７）は、充電しながらの待受け状態を示している（待受・充電）。
【００２３】
また、図２に記載されている信号は、上から順に、温度しきい値１の設定値(ＳＨ１)、温度しきい値２の設定値(ＳＨ２)、温度センサ２０の検出温度(Ｋ)、比較器１の出力(Ｍ)、比較器２の出力(Ｌ)、携帯電話機の動作状態、タッチパネル用Ｉ／Ｆ部１６の出力であるタッチ検出（Ｉ）、保護接触検出部１７の出力である接触保護検出（Ｊ）、ゲート回路２３の出力（Ｎ）、スイッチ回路２６の出力である機能制限検出（Ｏ）を示している。
【００２４】
「状態（１）」
最初の状態は、充電しながらの待受け状態であり、充電による温度上昇はあるものの温度上昇は比較的小さいため、温度センサ２０の検出温度（Ｋ）は温度しきい値２（ＳＨ２）を超えていない。この状態（１）から、ＴＶ電話を行うためにユーザがタッチパネル１５を操作すると、タッチパネル１５の検出信号（Ｇ）をタッチパネル用Ｉ／Ｆ部１６が検出する。そして、検出信号（Ｇ）検出したタッチパネル用Ｉ／Ｆ部１６のタッチ検出（Ｉ）が「Ｈ」レベルに変化する。
【００２５】
ここで、図１に示すように、本実施形態に係る携帯電話機は、キー入力部１３を備えているものの、タッチパネル１５による操作も可能として作られており、上述のＴＶ電話はタッチパネル１５の操作によって行われたものである。また、そのときのタッチパネル１５の操作は比較的短時間であるため、図２に示すタイミング図ではタッチ検出（Ｉ）が「Ｈ」レベルになる時間が短くなっている。
【００２６】
「状態（２）」
ＴＶ電話の接続状態になると、無線部２、ベースバンド部３などの電流消費が多くなるため、装置温度が上昇し検出温度（Ｋ）が上昇を始める。検出温度（Ｋ）が温度しきい値２（ＳＨ２）よりも高くなると、比較器２  ２１の出力は「Ｈ」レベルに変化する。更に時間が経過すると温度上昇は止まり、ある温度範囲で安定するが、温度しきい値１（ＳＨ１）はこの安定した温度範囲の温度よりも高いところに設定されているため、比較器１  ２４の出力は「Ｌ」レベルのままである。
【００２７】
一方、タッチ検出（Ｉ）は、保護接触検出部１７に入力され、接触保護検出（Ｊ）の生成に利用される。保護接触検出部１７では、タイマー値１設定（Ｔ１）、タイマー値２設定（Ｔ２）、タッチパネル用Ｉ／Ｆ部１６からのタッチ検出（Ｉ）、動作クロック（Ｈ）、を入力信号として、接触保護検出（Ｊ）を生成する。
【００２８】
接触保護検出（Ｊ）は、タッチパネル１５にタイマー値１設定（Ｔ１）以上の時間連続して接触していた場合「Ｈ」レベルとなり、タイマー値２設定（Ｔ２）以上の時間接触しない状態が続いた場合に「Ｌ」レベルとなる。尚、保護接触検出部１７の動作詳細は、図３を用いて後述する。
【００２９】
「状態（３）」
次に、ユーザ操作により、充電しながらＴＶ電話の接続状態（状態（２））から音声通話の状態（状態（３））に移行すると、装置の消費電流は上記状態（２）よりも減るため検出温度（Ｋ）も低下し、ある温度範囲で安定する。また、音声通話の場合は、携帯電話機に顔を接触させることになるためタッチ信号（Ｉ）は「Ｈ」レベルが長く続く状態となる。顔を接触後、タイマー値１設定（Ｔ１）で設定された時間が経過すると接触保護検出（Ｊ）は「Ｈ」レベルに変化する。
【００３０】
スイッチ回路２６は、接触保護検出（Ｊ）が「Ｈ」レベルのときは比較器２  ２１の出力を選択し、「Ｌ」レベルのときは比較器１  ２４の出力を選択する。このため、接触保護検出（Ｊ）が「Ｈ」レベルになると、スイッチ回路２６の出力はゲート回路２３を通して比較器２  ２１の出力（Ｌ）が出力されることになる。すなわち、スイッチ回路２６は、温度しきい値１及び温度しきい値２の何れを用いるかの、温度しきい値の切り替えを行う手段でもある。
【００３１】
タイマー値１（Ｔ１）を超える時間の接触が検出され、且つ、温度しきい値２の設定値(ＳＨ２)を超える温度が検出されると、スイッチ回路２６が出力する機能制限検出（Ｏ）は、「Ｈ」レベルになる。そして、この機能制限検出（Ｏ）を受けたＣＰＵ１４は、装置温度を低下させるために動作に制限をかけるように制御する。本実施形態では、ＣＰＵ１４は、充電・電源制御部２８を制御して充電動作に制限をかけることで装置温度を低下させる。具体的には、充電を止めて充電・電源制御部２８の発熱を抑えて装置の温度を低下させる。
【００３２】
装置温度が低下し、温度しきい値２の設定値(ＳＨ２)よりも低くなると、比較器２の出力（Ｌ）は「Ｌ」レベルになり、ゲート回路２３の出力とスイッチ回路２６の出力も「Ｌ」レベルに変化する。ＣＰＵ１４は、機能制限検出（Ｏ）が「Ｌ」レベルになると、温度しきい値２の設定値(ＳＨ２)よりも装置温度が下がったと判断し、再度、充電を再開させる。
【００３３】
充電再開により、再び装置温度が上昇すると、比較器２  ２１の出力が「Ｈ」レベルになり機能制限検出（Ｏ）も「Ｈ」レベルになる。ＣＰＵ１４は「Ｈ」レベルを検出すると、再び充電を停止させ、装置温度の上昇を防ぐように制御を行う。尚、比較器１  ２４及び比較器２  ２１には、出力を安定させるためにヒステリシス幅を持たせているため、検出温度（Ｋ）がしきい値より下回っても、比較器の出力はしばらく「Ｈ」レベルが保たれることになる。
【００３４】
「状態（４）」
次に、充電をしながらの音声通話の状態（状態（３））から呼を切断して待受け状態（状態（４））に遷移すると、装置温度は低下して上記状態（１）と同じ温度で安定する。また、通話を切断することでユーザは携帯電話から顔を離すため、タッチパネル１５への接触はなくなり、タッチ検出（Ｉ）は「Ｌ」レベルに変化する。
【００３５】
接触がなくなった後、タイマー値２の設定（Ｔ２）の時間が経過すると接触保護検出（Ｊ）は「Ｌ」レベルに変化し、スイッチ回路２６の出力としては比較器１  ２４の出力側が有効になる。
【００３６】
「状態（５）」
続いて、ＴＶ電話の状態（状態（５））に遷移すると再び装置温度が上昇し、上記状態（２）と同温度の、ある温度範囲で安定する。
【００３７】
「状態（６）」
その後、ユーザがあらかじめ予約設定していたデジタルＴＶの録画時間になり、録画が開始されると、ＴＶ電話・充電・録画の動作がすべて実施されている状態（状態（６））になる。この状態では上記状態（５）よりも内部の消費電流が増えるため、装置の温度は更に高くなる。
【００３８】
装置温度の上昇の結果、温度しきい値１の設定値(ＳＨ１)よりも高い温度になると、比較器１  ２４の出力が「Ｈ」レベルになり、スイッチ回路２６の出力も「Ｈ」レベルに変化する。機能制限検出（Ｏ）が「Ｈ」レベルになることで、ＣＰＵ１４は再び、充電・電源制御部２８のＯＦＦ／ＯＮ制御を行い、装置温度が温度しきい値１の設定値(ＳＨ１)を超えないように制御する。
【００３９】
「状態（７）」
その後、切断操作によりＴＶ電話が終了すると、デジタルＴＶを録画しながらの充電待受け中の状態（状態（７））に移り、装置温度は温度しきい値２よりも低いところで安定する。
【００４０】
図３は、本実施形態に係る電子装置の保護接触検出部１７の概略機能構成例を示す。図４は、本実施形態に係る電子装置の保護接触検出部１７の動作例を示す。以下、図３及び図４に示す図を用いて、保護接触検出部１７の動作例について説明する。
【００４１】
保護接触検出部１７は、タッチパネル用Ｉ／Ｆ部１６からのタッチ検出（Ｉ）と動作クロック（Ｈ）を入力信号とする。タッチ検出（Ｉ）を遅延回路１で遅延させ（Ｉ'）、ゲート回路３５によりタッチ検出（Ｉ）とその遅延信号（Ｉ'）の反転をアンドすることで、タッチ検出（Ｉ）の立上り検出信号（ｃ）を生成する。また、ゲート回路３６によりタッチ検出（Ｉ）の反転と遅延信号（Ｉ'）をアンドすることで、タッチ検出（Ｉ）の立下り検出信号（ｄ）を生成する。
【００４２】
カウンタ１はタッチ検出（Ｉ）が「Ｈ」レベルの間、動作クロック（Ｈ）をカウントし、カウンタ１の出力は比較器３２によりタイマー値１と比較される。カウンタ１の出力がタイマー値１を超えると、比較器１の出力は「Ｈ」レベルとなり、Dフリップフロップ（Ｄ−ＦＦ）によりラッチされ接触保護検出（Ｊ）は「Ｈ」レベルに変化する。尚、カウンタ１のカウント途中に人体の接触の検出がなくなると、立下り検出（ｄ）が「Ｈ」となりカウンタ１はリセットされて再び０からカウントされる。そのため、タイマー設定値１より長い間人体が接触していないと、接触保護検出（Ｊ）は「Ｈ」レベルにならない。
【００４３】
次に、接触保護検出（Ｊ）が「Ｈ」レベルになった後、皮膚の接触がなくなった場合について説明する。接触保護検出（Ｊ）が「Ｈ」レベルで且つタッチ検出（Ｉ）が「Ｌ」のときに、ゲート回路３４の出力が「Ｈ」レベルになり、カウンタ２がスタートする。カウンタ２の出力は比較器３３によりタイマー値２と比較され、タイマー値２を超えると比較器３３の出力が「Ｈ」レベルになり、Ｄ−ＦＦはリセットされ、その出力は「Ｌ」レベルになる。尚、カウンタ２のカウント中に、再び人体の接触があると立上り検出（ｃ）が「Ｈ」レベルになるため、カウンタ２はリセットされて再び０からカウントされる。そのため、タイマー設定値２より長い間人体の非接触状態を保たないと、接触保護検出（Ｊ）は「Ｌ」レベルに変化しない。
【００４４】
次に、本実施形態の効果について説明する。上記図２に示すように、音声通話の状態（状態（３））は、顔を携帯電話機の広い範囲に接触させて使用するため、人体の皮膚が直接発熱部分に触れる可能性が高い。このように、皮膚が長時間接触することから、携帯電話機等の電子装置では低温やけどに配慮した設計が必要となる。そのため、温度しきい値を設けてその温度を超えた場合は、上述した本実施形態の動作例で示したように、充電など機能動作に制限をかけて装置の温度が低温やけどを起こす温度以上にならないように制御を行う。
【００４５】
一方、機能の多様化により携帯電話機は色々な使用状態があり、例えば、ＴＶ電話やデジタルＴＶ視聴など、顔から離して使用するときは、発熱部分には直接皮膚が触れていない。本実施形態では、人体の接触・非接触を検出し、接触している場合と接触していない場合で温度しきい値を切り替える。そのため、本実施形態により、発熱部分に直接皮膚が触れていない状態（状態（２）、状態（５））では機能制限をかけず動作させることが可能となり、ユーザの利便性を向上させることが可能となる。
【００４６】
また、メニュー操作などのために指が触れる時間は比較的短時間であり、低温やけどを起こす可能性は低いため、最適な制御を行うためには低温やけどを起こす危険性のある長い時間の皮膚の接触を的確に検出する必要がある。本実施形態では、上記図３及び図４で説明したように、保護接触検出部の働きにより的確な検出を行うことが可能となる。そのため、的確に装置温度の制御を行うことが可能となる。
【００４７】
また、本実施形態では、温度しきい値として２つの温度しきい値を設定する例を挙げて説明したが、これに限定されるものではなく、２つ以上の温度しきい値を設け、段階的に温度を制御することも可能である。
【００４８】
尚、各タイミング図に示す処理を、ＣＰＵ１４が実行するためのプログラムは本発明によるプログラムを構成する。このプログラムを記録するコンピュータ読み取り可能な記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００４９】
以上好適な実施の形態に基づき具体的に説明したが、本発明は上述した電子装置、温度上昇制御方法、そのプログラム及び記録媒体に限定されるものではなく、その要旨を逸脱しない範囲で種々変更可能であるということは言うまでもない。
【図面の簡単な説明】
【００５０】
【図１】本実施形態に係る電子装置の概略機能例を示すブロック図である。
【図２】本実施形態に係る電子装置の動作例を示すタイミング図である。
【図３】本実施形態に係る電子装置の保護接触検出部の概略機能構成例を示すブロック図である。
【図４】本実施形態に係る電子装置の保護接触検出部の動作例を示すタイミング図である。
【符号の説明】
【００５１】
１    携帯電話機用アンテナ
２    無線部
３    ベースバンド部
４    音声ＣＯＤＥＣ部
５    レシーバ
６    マイク
７    ＬＣＤ（Liquid Crystal Display）
８    表示制御部
９    カメラ
１０    表示制御部
１１    データメモリ
１２    プログラムメモリ
１３    キー入力部
１４    ＣＰＵ
１５    タッチパネル
１６    タッチパネル用Ｉ／Ｆ部
１７    保護接触検出部
１８    タイマー値１
１９    タイマー値２
２０    温度センサ
２１    比較器２
２２    温度しきい値２
２３    ゲート回路
２４    比較器１
２５    温度しきい値１
２６    スイッチ回路
２７    電池
２８    充電・電源制御部
２９    ＡＣ／ＤＣアダプタ
３０    ＴＶ用アンテナ
３１    デジタルＴＶ信号受信部
３２、３３    比較器
３４、３５、３６    ゲート回路
【図１】
2010124246.tif 000003
【図２】
2010124246.tif 000004
【図３】
2010124246.tif 000005
【図４】
2010124246.tif 000006